(57)【要約】【課題】  本発明品は、女性や子供のように座高が低い場合、シートベルトが首や鎖骨に当たらず、なおシートベルトによる圧迫感が無いようにし、そのまま簡単に収納できるものとする。付属品に関し、子供が寝ても、お菓子が足下に落ちる事の無い小物袋で、発明品に取り付けられるものとする。【解決手段】  シートベルトが、首や鎖骨に当たらないように発明品の幅をシートベルトより広くして、前身を守るため発明品の長さを、肩上から脇腹までとし、圧迫感を和らげるため、厚みのある中綿入りクッション材板状のもを作成し、綿テープ付ベルト通し三カ所を縫い付けて、シートベルトを巻き包み滑らせて収納できる発明品収納クッションシートベルトカバーとして使用する。また、子供のお菓子を入れる中身の見える小物袋は発明品に取り付けて使用する。【選択図】      図４
2005145107.tif 000002
【特許請求の範囲】
【請求項１】
クッション材より成り、シートベルトと身体の間に介在するように、シートベルトに対し、取り付け可能とした事を特徴とするシートベルト用ベルトカバー。
【請求項２】
請求項１において、クッション材は、中綿入であるシートベルトカバー。
【請求項３】
請求項１において、クッション材は、可撓性を有し、ベルト不使用時に収納状態に折りたたみ可能であるベルトカバー。
【請求項４】
請求項１において、クッション材には、小物収納用の袋を、取り付け可能にしたベルトカバー。
【発明の詳細な説明】
【技術分野】
【０００１】
この発明は、収納クッションシートベルトカバーに関して、シートベルトに取り付けて、シートベルトの着用者、特に女性や子供において、シートベルトが首や鎖骨に直接触れないように、また、シートベルトによる圧迫感がないようにした、シートベルトカバーに関するものである。
【背景技術】
【０００２】
すべての自動車には、シートベルトが取り付けられており、着用が義務付けられている。しかし、着用していない人がいる事が、大きな事故につながる可能性がある。その理由に、着用時のシートベルトによる圧迫感、窮屈感によるイライラなどの症状が発生するなどの理由である可能性がある。
【０００３】
時に、シートベルトを長時間着用し運転することにおいて、ひどい疲れや肩こりが生じた時、手でシートベルトを引っ張り、体からシートベルトを離した時の開放感がとても楽である。こんなにも体に圧力が掛かっているとは、信じられないが事実である。しかし、シートベルトは、命ベルトであり、着用が必要である。
【０００４】
シートベルトを着用した時に関して、女性や子供は座高が低いため、また、女性のように胸の開いた洋服を着た時に、首や鎖骨にシートベルトが当たり、不快感を生じる事があった。
【０００５】
シートベルトを着用した時に関して、女性やお年寄りは前方を良く確認しようと、前屈みの姿勢で運転している。その場合、身体をシートベルトに押しつける状態になり、シートベルトによる圧迫感が男性より強く感じられ、肩こりや疲れがひどくなり、集中力に欠ける場合がある。また、急ブレーキで打撲した時、身体に痣や傷がつく可能性がある。
【０００６】
従来のシートベルトカバーには、長方形を有し、シートベルト全体を巻き包み、ファスナー、ドットボタンなどで固定するものがある。
【発明の開示】
【発明が解決しようとする課題】
【０００７】
従来のシートベルトカバーにおいては、長方形を有し、シートベルト全体を巻き包む方法であるが、布のクッションの厚みが薄いので、シートベルトによる不快感が残っている可能性がある。
【０００８】
従来のシートベルトカバーにおいて、シートベルトを巻き包み止める固定金具のドットボタンやファスナー使用のものは、硬い部分で出来ているため、急ブレーキなどで打撲した場合、痣や傷が出来る可能性がある。
【０００９】
シートベルトの不使用時に、邪魔にならぬよう自動車の車体に、巻き込む仕組みになっている。本発明のシートベルトカバーは、取り外す事なく、邪魔にならず簡単に収納できる事が必要である。
【００１０】
そこで、本発明は、クッション性により皮膚へのいたわりがあって、装着感が良く不使用時には着けた状態で取り外さなくても、車体のベルト括納部へ収納できるシートベルトカバーの提供を課題とするものである。
【課題を解決するための手段】
【００１１】
本発明はクッション材より成り、シートベルトと身体の間に介在するように、シートベルトに対し取り付け可能とした事を特徴とするシートベルト用ベルトカバーに関するものである。
上記に加えて、クッション材は中綿入であるベルトカバーである。
上記に加えて、クッション材は、可撓性を有し、ベルト不使用時に収納状態に折りたたみ可能であるベルトカバーである。
上記において、クッション材は、小物収納用の袋を取り付け可能にしたベルトカバーである。
【発明の効果】
【００１２】
発明品の収納クッションシートベルトカバーにおいては、中綿入クッション材の厚みがしっかりあるので、シートベルトによる圧迫感や締め付け感などが従来品より和らぐ可能性がある。
【００１３】
特に女性において、胸の開いた洋服を着た時、首や鎖骨にシートベルトが直接当たらず、けがや痣の予防になる可能性がある。
【００１４】
発明品は、肩上から脇腹までの長さを有しているので、柔らかい女性の胸や子供の身体を、可撓性のある厚いクッション材により、身体を守ることが出来る可能性がある。
【００１５】
本発明品は、綿テープ付ベルト通しによって、シートベルトを巻き包み止めます。綿テープ使用により、急ブレーキなどで打撲した場合、従来品のドットボタンやファスナー使用よりも、けがや痣が出来る可能性が少なくなる。なお、綿テープ使用部分を出来る限り少なくする事で、より効果が望まれる。
【００１６】
発明品の収納クッションシートベルトカバーの長さが、肩上から脇腹まであるので、クッション材の可撓性を生かし、ベルト通しをしなやかに滑らせて、短く折りたたんで収納でき邪魔にならず着けっぱなしが出来る。
【００１７】
発明品の素材は、タオル地類から成り、肌に心地よく、吸水性に優れているため汗をかいても、べとべと感がない。取り外しが簡単なので、いつでも洗濯でき清潔感が保持できる。
【００１８】
発明品に取り付ける小物袋は子供向きである。メッシュ仕立てなので運転しながら横目で子供の様子や中身の確認ができ、集中して運転し安全運転につながる可能性がある。
【発明を実施するための最良の形態】
【００１９】
図１及び図２において説明する。本発明の収納クッションシートベルトカバー１に関して、図３で示しているタオル地類７と中綿８で作成された中綿入クッション材板状のものから成る。クッション材板状のもの３の幅は、シートベルト１２より数センチ広く作り、厚みをしっかり作り長さは肩上から脇腹までとする。中綿入クッション材板状のもの３に両端二カ所と、それより幅の狭い中央一カ所に綿テープ付ベルト通し２を図２のように、ミシン目６で縫い付けて、シートベルト１２がずれないように、図７に示した状態で、シートベルト１２を巻き包み図４のように取り付けて使用するものである。
【００２０】
このように構成された本実施形態のシートベルトカバー１の使用について説明する。
図５は運転中に三段階に切り換える事ができる。図５ａは図４のように、通常使用する。図５ｂは中央のベルト通し２を肩側のベルト通し２に寄せ付ける。肩の厚みを二重にし身体にかかる圧力を変える。図５ｃは図５ｂの位置に脇側のベルト通し２を引き寄せることにより、シートベルトカバー１の厚みが二重になり、肩全体にクッション材が当たることにより、胸とシートベルト１２の間に少し隙間が出来るので、胸への圧迫感が全く無くなり、とても楽な感触が得られる。長時間運転すると、同じ姿勢が窮屈で動きたいが動けない状態において、収納クッションシートベルトカバー１の部分に移動することにより、身体にかかる圧迫感を変えることが出来、気分も変わる。
【００２１】
図６において説明する。発明品の収納クッションシートベルトカバー１に関して、シートベルト１２の不使用時には、綿テープ付ベルト通し２を肩から脇いっぱいに寄せて、シートベルト１２の止め金具を外し、本発明品１を取り外す事無く、着けっぱなしで、そのまま、車体の括納部に図６のように、簡単に短くし折りたたんで収納できる。
【００２２】
本発明品の収納クッションシートベルトカバー１の素材について説明する。図３で示したタオル地類７と中綿８と綿テープ４から成り立っている。タオル地類７は肌触りが良く、吸水性に優れている。汗によるべとべと感が無く、洋服との密着感も良く、照かりも出にくい。中綿８は、洗濯にも強く、早く乾きます。本発明品は、汚れた時に簡単に取り外しいつでも洗濯ができる。
【００２３】
発明品１の取り付け方は、図７のようにシートベルト１２を綿テープ４付ベルト通し２で巻き包み取り付け、図４のように使用するものである。発明品１の取り外し方は、図４のように使用している状態から図７のように綿テープ４付ベルト通し２をシートベルト１２から外し、図１の状態にして、取り外すものである。
【００２４】
次に別の実施形態のシートベルトカバーを図８に基づいて説明する。
図８で示しているメッシュ素材の小物袋９のポケット口１０は、子供の手が入り易いように広く緩みを設け、ゴム仕立てとし、小物袋９の縁取りをバイヤステープ５で包み、両端にループ１１と綿テープ４を活用し、発明品収納クッションシートベルトカバーに取り付け使用するものである。
【図面の簡単な説明】
【００２５】
【図１】発明品収納クッションシートベルトカバー１を表から見た平面図である。
【図２】発明品収納クッションシートベルトカバー１を裏から見た平面図である。
【図３】図１の中綿入りクッション材板状のもの３の断面図である。
【図４】発明品収納クッションシートベルトカバー１をシートベルト１２に装着した正面図である。
【図５】図４のように発明品収納クッションシートベルトカバー１を装着した状態で、長さを図５a、b、cの三段階に変換した正面図である。
【図６】図６aは発明品収納クッションシートベルトカバー１をシートベルト１２不使用時に短く折りたたんだ状態の立体図。図６bは発明品１を車体の括納部へ収納した正面図。
【図７】発明品収納クッションシートベルトカバー１をシートベルト１２に取り付け、取り外しの状態で、ベルト通し２を起こした立体図。
【図８】発明品収納クッションシートベルトカバー１に小物袋９を取り付けた状態の正面図
【符号の説明】
【００２６】
１      収納クッションシートベルトカバー
２      ベルト通し
３      中綿入りクッション材板状のもの
４      綿テープ
５      バイヤステープ
６      ミシン目
７      タオル地類
８      中綿（ポリエステル）
９      小物袋（メッシュ素材）
１０    ポケット口（ゴム入り）
１１    ループ
１２    シートベルト
１３    車内の金具
【図１】
2005145107.tif 000003
【図２】
2005145107.tif 000004
【図３】
2005145107.tif 000005
【図４】
2005145107.tif 000006
【図５】
2005145107.tif 000007
【図６】
2005145107.tif 000008
【図７】
2005145107.tif 000009
【図８】
2005145107.tif 000010